(57)【要約】【課題】本発明は繰り返しの使用でもスムーズで安全な抵抗回転を実現し、抵抗負荷機構を露出しない小型軽量化を実現する抵抗負荷装置を提供するにある。【解決手段】流動物２が満たされた中空室３をするドラム部４と、このドラム部４を貫通して該４を回転自在に軸支する支軸５と、この支軸５の中空室側に螺刻形成された雄螺旋部６と、中空室３を第１室７と第２室８に仕切り且つ雄螺旋部６に螺合する雌螺旋部９を有するとともにドラム部４と一体的に回転しながら螺合作用により中空室３内を移動可能に設けられた移動仕切り部１０と、移動仕切り部１０の移動に伴い流動物２が第２室８から第１室７に流入するようにしてドラム部４の回転に負荷を与えるための流動物流入路１３とで抵抗負荷装置１を構成している。【選択図】  図２
2004301298.tif 000002
【特許請求の範囲】
【請求項１】
オイルや流動性粉体などの流動物が満たされた中空室を有するドラムと、前記ドラム部を貫通して該ドラム部を回転自在に軸支する支軸と、この支軸の前記中空室に在る部位に螺刻形成されたり固定されたり連結固定されたりして設けられた雄ネジなどの雄螺旋部と、前記中空室を第１室と第２室に仕切り且つ前記雄螺旋部に螺合する雌螺旋部を有するとともに前記ドラム部と一体的に回転しながら該螺合作用により該中空室内を移動可能に設けられた移動仕切り部と、前記ドラム部の回転による前記移動仕切り部の移動に伴い前記流動物が前記第１室と前記第２室のいずれか一方の室からもう一方の室に流入するようにした、前記ドラム部の回転に負荷を与えるための流動物流入路と、前記支軸を前記ドラム部の外で回転しないように固定してなる構造物等に吊られたり固定されたりする固定部とからなることを特徴とする抵抗負荷装置。
【請求項２】
オイルや流動性粉体などの流動物が満たされた中空室を有し且つワイヤが巻き取られたドラム部と、前記ドラム部を貫通して該ドラム部を回転自在に軸支する支軸と、この支軸の前記中空室に在る部位に螺刻形成されたり固定されたり連結固定されたりして設けられた雄ネジなどの雄螺旋部と、前記中空室を第１室と第２室に仕切り且つ前記雄螺旋部に螺合する雌螺旋部を有するとともに前記ドラム部と一体的に回転しながら該螺合作用により該中空室内を移動可能に設けられた移動仕切り部と、前記ワイヤに負荷を掛けた引張り巻き解き動作で回転される前記ドラム部の回転による前記移動仕切り部の移動に伴い前記流動物が前記第１室と前記第２室のいずれか一方の室からもう一方の室に流入するようにした、前記ドラムの回転に負荷を与えるための流動物流入路と、前記支軸を前記ドラム部の外で回転しないように固定してなる構造物等に吊られたり固定されたりする固定部とからなることを特徴とする抵抗負荷装置。
【請求項３】
移動仕切り部がドラム部と一体的に回転し且つ移動するようにするために、該移動体仕切り部を貫通して該ドラム部内に支軸と並行に渡され且つ該移動仕切り部を滑り支持してなる滑り軸を設けてなることを特徴とする請求項１、２いずれか記載の抵抗負荷装置。
【請求項４】
中空室および移動体仕切り部が非円形形態あるいは円形形態であるが凸部位や凹部位を設けた形態であることを特徴とする請求項１、２記載の抵抗負荷装置。
【請求項５】
流動物流入路の一部あるいは全部がドラム部の壁内を通るように形成され、該流動物流入路に外側から連絡されたネジ穴等が設けられ、該ネジ部等に調節ネジなどの調節手段が螺合されるなどして設けられ、これにより該流動物流入路の一部の路幅を外部から調節できるようにしてなることを特徴とする請求項１、２、３、４いずれか記載の抵抗負荷装置。
【発明の詳細な説明】
【０００１】
【発明の属する技術分野】
本発明は、ビルなどの高所に設ける等して、火災などの災害時に高所の人を吊るし安全に降下させる主に避難装置としての利用に適した抵抗負荷装置に関する。
【０００２】
【従来技術】
従来、特開平８−３３２２３６に「ワイヤを巻き該ワイヤの負荷を掛けた引張りによる巻きほどきにより回転するドラムと、このドラムの側部に固定され該ドラムの回転と一体となってクランク動作をするクランク部と、このクランク部に連結されたピストンと、このピストンの上下運動により流動するオイルが満たされた油圧回路とからなる油圧緩降器の安全装置」の技術が開示されている。
また、特開平１０−１２７７９８に「ワイヤを巻き該ワイヤの負荷を掛けた引張りによる巻きほどきにより回転するドラムと、このドラムの回転数が予め定めた回転数を超えた場合に該ドラムの回転にブレーキを掛ける遠心ブレーキやライニングブレーキなどの摩擦ブレーキ装置とからなる避難用の緩降具」の技術が開示されている。
【０００３】
【発明が解決しようとする課題】
前述した従来技術のうち特開平８−３３２２３６は、クランク部、ピストンシリンダー部を含む油圧回路機構部と、装置全体が大型で重量のあるものになり、且つ、動作するクランク部がドラムの外側に露出するために安全のために安全枠や安全カバーを取り付けなくてはならず、更に大型になるという欠点を有するものであった。
また特開平１０−１２７７９８は、ドラムの回転を抑制するのに摩擦ブレーキを使用するものであるので、摩擦によりブレーキが高熱状態となり連続しての使用が安全にし難い、ブレーキ機構をドラムの外側に設けるので装置が大型になるという欠点があった。
【０００４】
本発明は以上のような従来の欠点に鑑み、繰り返しの使用でもスムーズで安全な抵抗回転を実現し、抵抗負荷機構を露出しない小型軽量化を実現する抵抗負荷装置を提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために本発明は、オイルや流動性粉体などの流動物が満たされた中空室を有且つワイヤが巻き取られたドラムと、前記ドラム部を貫通して該ドラム部を回転自在に軸支する支軸と、この支軸の前記中空室に在る部位に螺刻形成されたり固定されたり連結固定されたりして設けられた雄ネジなどの雄螺旋部と、前記中空室を第１室と第２室に仕切り且つ前記雄螺旋部に螺合する雌螺旋部を有するとともに前記ドラム部と一体的に回転しながら該螺合作用により該中空室内を移動可能に設けられた移動仕切り部と、前記ドラム部の回転による前記移動仕切り部の移動に伴い前記流動物が前記第１室と前記第２室のいずれか一方の室からもう一方の室に流入するようにした、前記ドラム部の回転に負荷を与えるための流動物流入路と、前記支軸を前記ドラム部の外で回転しないように固定してなる構造物等に吊られたり固定されたりする固定部とで抵抗負荷装置を構成している。
【０００７】
【発明の実施の形態】
以下、図面に示す実施の形態により、本発明を詳細に説明する。
【０００８】
図１ないし図３に示す本発明の第１の実施の形態において１は抵抗負荷装置であって、この抵抗負荷装置１はオイルや流動性粉体などの流動物２が満たされた円筒形態の中空室３を有し且つワイヤ１２が巻き取られたドラム部４と、このドラム部４を貫通して該４を回転自在に軸支する支軸５と、この支軸５の中空室に在る部位に螺刻形成されたり固定されたり連結固定されたりして設けられた雄ネジなどの雄螺旋部６と、中空室３を第１室７と第２室８に仕切り且つ雄螺旋部６に螺合する雌螺旋部９を有するとともにドラム部４と一体的に回転しながら螺合作用により中空室３内を移動可能に設けられた円盤形態の移動仕切り部１０と、この移動仕切り部１０がドラム部４と一体的に回転し且つ該１０内を移動して第１室７と第２室８の広さを変えて行くようにするために、移動体仕切り部１０を貫通してドラム部４の側壁間に支軸５と並行に渡され且つ移動仕切り部１０を滑り支持してなる滑り軸１１、１１と、第２室８からドラム部４の一方の側壁内を通り滑り軸１１内を通りドラム部４のもう一方の側壁内を通って第１室７に抜けるように形成された、ワイヤ１２に負荷を掛けた引張り巻き解き動作で回転されるドラム部４の回転による移動仕切り部１０の移動に伴い流動物２が第２室８から第１室７に流入するようにしてドラム部４の回転に負荷を与えるための流動物流入路１３と、第２室８側の側壁の外側から流動物流入路１３に抜けるように設けたネジ穴１４と、このネジ穴１４に螺合された、流動物流入路１３の一部の路幅を外部から調節できるようにした調節ネジからなる調節手段１５と、移動仕切り部１０に第１室７から第２室８に流動物２を流入させるための流動物流入路１６と、この流動物流入路１６に内接された圧縮コイルバネ１７と、この圧縮コイルバネ１７に押され付勢されて第２室８側から第１室７側に流動物２が流入するのを阻止し且つ第１室７から第２室８に流動物２が抵抗少なく流入するようにするための球体弁１８と、支軸５の両側をドラム部４の外で回転しないように固定してなる構造物等に吊られたり固定されたりする略コの字形態の固定部１９と、手動でドラム部４を回転させるための、ドラム側壁に固定された大歯車２０、この歯車２０に噛んだ固定部１９に回転自在に軸２４に軸支された小歯車２１、この小歯車２１に連結された握り部２２とからなる手動回し部２３とからなっている。
滑り軸１１は一本でも複数本でも良い。
流動物流入路は滑り軸を通らずドラム部の巻取壁を通るようにするのもよい。
【０００９】
抵抗負荷装置１を緩降装置として使用する場合は図１に示すように、構造物２５の最上部側にレール２６を架け設け、レール２６に抵抗負荷装置１をレール２６上を移動可能に設け、ワイヤ１２に籠２７を下げるなどする。
人がベルト２７を身体に回しベランダから降りるとその過重負荷により、ドラム部４はワイヤ解き低速回転して緩やかな一定のスピードで人を安全に地上まで降下させる。
ベルト２７に変えて人が乗込む籠を下げるのも良い。この際、人が乗込んでも降下しないように、ドラムの回転を直接阻止するラァチェット機構を設けたり、ワイヤを把持する手段を設けたりなどのストッパーを設け、該ストッパーを解除したら降下するようにするのがよい。
【００１０】
図２において、ワイヤ１２に過重負荷が掛かるとドラム部４はワイヤ解き回転をする。
移動仕切り部１０もドラム部４と一体となって回転するので、回転する雌螺旋部９と固定されて回らない雄螺旋部６との螺号作用により、移動仕切り部１０は第２室８側に移動し該第２室８を狭めて行く。
流動物流入路１６は圧縮コイルバネ１７と流動物２に押された球体弁１８に塞がれているので、行き場のない満たされた流動物２は流動物流入路１３から第１室７内に流入して該第１室７が広がって行く。
流動物流入路１３を通る流動物２の流入量は該流動物流入路１３の太さにより制限されるので、移動仕切り部１０の移動は強い抵抗を受け穏やかな移動にされ、結果ドラム部４の解き回転も大きな過重が掛かっても低速な回転となる。
図３において、手動回し部２３を巻取回しさせて、ドラム部４をワイヤ巻取回転させると、流動物流入路１６は第１室７側から第２室８側に流入しようとする流動物２に球体弁１８が押され移動して開かれ、流動物２は第１室７から第２室８に抵抗少なく流入する。
ドラム部４の回転抵抗は小さく手動でも容易に巻取回転させることができる。
【００１１】
【発明の異なる実施の形態】
次に、図４ないし図６に示す本発明の異なる実施の形態につき説明する。
なお、これらの発明の異なる実施の形態の説明に当たって、前記本発明の第１の実施の形態と同一構成部分には同一符号を付して重複する説明を省略する。
【００１２】
図４に示す本発明の第２の実施の形態において前記本発明の第１の実施の形態と主に異なる点は、流動物流入路１３に変えて流動物流入路３０を移動仕切り部１０に設け、手動回し部の構成を軸２４にチェーンスプロケット３１を設けてなる手動回し部３２とした抵抗負荷装置３４を形成した点にある。
チェーンスプロケット３１に地上まで届くよう長いチェーン３３をセットし、ドラム部４を該３３を地上から引張り操作することにより巻取回転させて籠を引き上げることができる。
籠を下げて人が該籠に乗るようにした場合には、チェーンを地上の人が引っ張っていることによりストッパーとしての役割を果たせることができるので、籠を降下させること無く人を籠に載せることができる。また、複数の人が籠にのり重量が重くなって、下降速度が速くなっても地上でチェーンに抵抗を加えることにより、下降速度を安全なものにできるものである。
【００１３】
図５および図６に示す本発明の第３の実施の形態において、前記本発明の第１の実施の形態と主に異なる点は、中空部３７の形態を角を大きく丸めた四角筒形態とし、移動仕切り部３８の形態を中空部３７と同形態盤とし、流動物流入路を移動仕切り部３８に貫通させた流動物流入部３９のみとし、この流動物流入部３９に弁４０を設けてなる抵抗負荷装置４１を形成した店にある。
弁４０は第２室８側に位置させられた流動物流入部３９を塞ぐ弁本体４２と、この弁本体４２に貫通された流動物流入部３９より小径の流動物流入部４３と、弁本体４２から延びて流動物流入部３９を通された該３９よりわずかに小径の十字断面形態である連結部４４と、この連結部４４の第１室７側に設けられたスプリング受け部４５と、このスプリング受け部４５と移動仕切り部３８の間に設けられた弁本体４２を第１室側に引張り付勢する圧縮コイルバネ４６とからなっている。
移動仕切り部３８が第２室８側に移動する場合は、高圧となる第２室側の竜動物２の圧力と圧縮コイルバネ４６の引張り付勢力により弁本体４２は流動物流入路３９を塞ぎ、流動物２は小径である流動物流入路４３のみを通って第１室７に流入するので大きな抵抗がかかる。反対に移動仕切り部１０が第１室７側に移動する場合は、第１室７側の流動物の圧力が高くなり弁本体４２を押し出し該４２と移動仕切り部３８の間に隙間を空けさせて、その隙間と流動物流入路４３とから第１室７側の流動物２を第２室８に大きな抵抗を生じさせることなく流入させる。
【００１４】
【発明の効果】
以上の説明から明らかなように、本発明にあっては次に列挙する効果が得られる。
【００１５】
ドラム部の回転を抑制するブレーキ機構が全て該ドラム部内に設けてあるので、装置全体を小型軽量にできるとともに、移動仕切り部のドラムの回転と一体となった回転による移動とドラム内に満たしたオイルなどの流動物の流動によるブレーキ作用を実現したものであるので、繰り返しの使用でも加熱することがない安全な抵抗負荷装置を実現するという効果を得ることができる。
【００１６】
また、オイル等の流動物が第１室と第２室間を流動する流動物流入路を、ドラム部の壁内に設け外側から流動物流入路の一部の幅を広げたり狭めたりできる調節手段を設けたものは、使用条件に合わせてドラムの回転抵抗を容易に調節できる、一つの装置でも使用条件に対応させた回転抵抗のものを提供できるという効果を得ることができる。
【図面の簡単な説明】
【図１】本発明の第１の実施の形態の使用状態例図。
【図２】本発明の第１の実施の形態の右側面中央縦断面図。
【図３】図２の移動仕切り部が移動した右側面中央縦断面図。
【図４】本発明の第２の実施の形態の右側面中央縦断面図。
【図５】本発明の第３の実施の形態の右側面中央縦断面図。
【図６】本発明の第３の実施の形態のドラム部の正面縦断面図。
【符号の説明】
１：抵抗負荷装置、                ２：流動物、
３：中空室、                      ４：ドラム部、
５：支軸、                        ６：螺旋部、
７：第１室、                      ８：第２室、
９：雌螺旋部、                  １０：移動仕切り部、
１１：滑り軸、                  １２：ワイヤ、
１３：流動物流入路、            １４：ネジ穴、
１５：調節手段、                １６：流動物流入路、
１７：圧縮コイルバネ、          １８：球体弁、
１９：固定部、                  ２０：大歯車、
２１：小歯車、                  ２２：握り部、
２３：手動回し部、              ２４：軸、
２５：構造物、                  ２６：レール、
２７：ベルト、                  ３０：流動物流入路、
３１：チェーンスプロケット、    ３２：手動回し部、
３３：チェーン、                ３４：抵抗負荷装置、
３７：中空部、                  ３８：移動仕切り部、
３９：流動物流入部、            ４０：弁、
４１：抵抗負荷装置、            ４２：弁本体、
４３：流動物流入部、            ４４：連結部、
４５：スプリング受け部、        ４６：圧縮コイルバネ。
【図１】
2004301298.tif 000003
【図２】
2004301298.tif 000004
【図３】
2004301298.tif 000005
【図４】
2004301298.tif 000006
【図５】
2004301298.tif 000007
【図６】
2004301298.tif 000008